【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
パラメータ信号を生成するためにデジタルデータフレーム（Ｘｋ）を処理するための、少なくとも一つのプロセッサを使用して電子的に行われる方法であって、前記パラメータ信号は、式Ｘｋ＝Ｇ（Ｂｄ（ｉ）），（ｉ＝１，．．．，Ｎ）により作られたモデルの複数の推定パラメータを有し、ここで、Ｇ（Ｂｄ（ｉ））は、Ｎ個の未知のデータブロック｛Ｂｄ（ｉ）｝を有する提供されたフォームＧ（）のモデル化関数を表し、前記方法は、
（ａ）Ｘｋと、特別な信号特徴のための複数のパラメータと、のうちいずれかまたは両方からなる入力を提供するステップを備え、
（ｂ）参照データベース内の複数のデータブロックを特定するステップであって、各推定パラメータが前記参照データベース内の前記特定されたデータブロックを示すインデックスからなるステップと、前記モデル化関数の係数のための値を特定するステップと、を備え、各推定パラメータは前記値からなり、これにより前記２セットの推定パラメータはＸｋの最良のモデルを作り出し、前記最良のモデルは、選択された性能基準により決定された最良の性能出力を生成するモデルであり、
（ｃ）前記パラメータ信号を出力するステップであって、前記パラメータ信号が、ステップＸｋの最良のモデルを作り出す前記推定パラメータを表す１セットの値と、ステップ（ａ）からの特別の信号特徴のための選択された１セットの前記パラメータを表す１セットの値と、のうちいずれかまたは両方を有するステップを備え、
前記各セットの値は、ステップ（ｃ）に提供される実際のパラメータ値と、前記実際のパラメータ値において、変換パラメータによる命令、量子化、および変換のうち一または複数を行うことによって得られる修正されたパラメータ値と、のうちのいずれかを有し、
前記参照データベースが、
Ｘｋの最後のデータポイントを除きＸｋからのデータを使用して作られる参照信号と、
Ｘｋ信号の他のデータからＸｋを処理する前に作られた信号、ステップ（ａ）において得られた前記パラメータから選択されるパラメータにより作られる特別な信号特徴を表す信号、および予め決められた信号特性を表すものとして作られる信号、を有する群から選択される少なくとも一つの参照信号と、
を有し、
モデルの出力の性能を決定するのに使用される前記選択された性能基準は、一または複数の費用関数を含み、各費用関数は前記出力の特性を示し、前記特性は、精度、安定性、知覚品質、およびビットレート効率のうち一または複数を含み、前記出力は、前記モデルの量子化された推定パラメータおよび非量子化された推定パラメータのうちいずれかを有する出力生成パラメータを使用して出力合成処理により生成される、方法。
【請求項２】
前記出力合成処理は、前記出力生成パラメータのために評価された前記モデル化関数Ｇ（Ｂｄ（ｉ））の出力を算出するステップを備え、前記評価において入力｛Ｂｄ（ｉ）｝を表すＮ個のデータブロックを含むデータが、前記出力生成パラメータにより、（ｉ）前記参照データベース全体か、（ｉｉ）Ｘｋからの前記データを使用して作られる前記参照信号を除外する前記参照データベースのセクション、のうちのいずれかから得られ、
一または複数の前記データブロックの一部のためのデータが前記参照データベースの前記セクションに含まれない場合、前記出力は反復的プロセスによって逐一算出され、この反復的プロセスにおいて、前記評価モデル化関数における各データブロックが各データブロックの単一点と置き換えられ、これにより第１の出力点が前記データブロックの第１の点を使用して算出され、シーケンスにおける次の出力点のそれぞれが、前記データブロックのシーケンスにおける次の点を使用して算出され、ここで、各生成された出力点は除外された参照信号のシーケンスにおける次の要素のそれぞれを再構成するために使用され、これにより、前記参照データブロックの前記セクションにおいて含まれない一または複数のデータブロックのデータ部分を後続する反復において使用するために再構成する、請求項１に記載の方法。
【請求項３】
ステップ（ａ）が、入力信号からの信号フレームを抽出することと、前記信号フレームおよび修正された信号フレームのうちいずれかを含むＸｋを生成することと、有し、
前記修正された信号フレームは、少なくとも一つのプロセッサにおいて生成され、このプロセッサは、ステップ（ａ）において、サンプリング、ウィンドーイング、フィルタリング、変換パラメータによる変換、および信号特性の分析、のうち一または複数を含む一連の処理を通して前記信号フレームを修正するように構成され、これにより前記信号フレームが、前記方法によってモデル化されることが望ましくない特別な信号特徴として特定される一または複数の信号特徴を含むことが分かった場合、前記特徴が前記信号フレームから除去され、
Ｘｋが、前記特徴を表すように明確に作られた参照信号によってモデル化されることが望ましい特別な信号特徴として特定される一または複数の信号特徴を有することが分かった場合、ステップ（ａ）は、前記参照信号を作り前記参照データブロック内に入力することを更に含み、
ステップ（ａ）が、選択された特別な信号特徴のためのパラメータをステップ（ｃ）に提供するように構成される場合、ステップ（ａ）は、前記パラメータをステップ（ｃ）に提供することを更に含む、請求項２に記載の方法。
【請求項４】
Ｘｋが、前記入力信号から生成された複数のデータフレームを有するシーケンスにおける一のデータフレームを表し、前記方法は更に、
（ｄ）  Ｘｋの前記特定された最良のモデルの出力と、前記出力の成分と、Ｘｋにおけるデータから作り出された波形と、のうち一または複数を、前記方法にアクセス可能なメモリ内に入力するステップを備え、
ここで、Ｘｋを処理する前に信号を作り出すために使用されるＸｋ以外の前記データは、前記シーケンスにおいてＸｋに先行する一または複数のデータフレームを含み、前記信号は、Ｘｋに代わって前記各データフレームを前記方法により処理することによって作り出された、請求項３に記載の方法。
【請求項５】
前記推定パラメータがモデルのために推定され、前記モデルの形態は、
提供されたモデル化関数の複数の選択を伴う請求項４に記載のパラメータ推定方法と、
従来技術のモデルのパラメータを推定するための従来技術の方法と、
前記従来技術の方法の組み合わせと、
一または複数の前記従来技術の方法と請求項４に記載の方法との組み合わせと、
からなる群から選択されるパラメータ推定方法により決定され、
複数の方法を組み合わせて使用することはＸｋの異なる成分をモデル化するために異なる方法を使用することを含む、請求項４に記載の方法。
【請求項６】
前記パラメータ信号が、エンコーダにおいてデータの少なくとも一つのフレームをエンコードすることに利用される、請求項４または５のいずれか一項に記載の方法。
【請求項７】
出力信号を生成するためにパラメータ信号をデコーディングする方法であって、
前記パラメータ信号からＮ個のインデックスを含むデコーディングパラメータを受信し、ここで、Ｎは正の整数を表し、かつ、前記パラメータ信号に含まれる場合には復元関数の一または複数の係数を表し、ここで、前記インデックスが参照データベースにおいてＮ個のデータブロックの第１の要素の位置を特定し、
前記パラメータ信号が一または複数の参照信号を合成するために１セットのパラメータを含む場合、前記一または複数の参照信号を参照データベース内に合成して入れるために前記セットを使用し、
前記第１の要素の前記位置を使用して、前記データブロックを含む全ての利用可能なデータを前記参照データベースにおいて特定し、前記係数のためおよび前記データブロックによって提供される入力のために前記関数を評価することにより前記復元関数の出力を生成し、
前記参照データベースが前記複数のデータブロックのうち一または複数のデータブロックの第１の部分のみを有する場合、各前記部分は各データブロックの第１の要素を有し、これにより前記複数のデータブロックのうち一または複数のデータブロックの残りの部分のためのデータが利用不能であり、前記方法は反復的プロセスを通して前記出力を生成し、ここで、前記出力の第１の点が、前記復元関数への入力として全てのデータブロックの第１の要素を使用して更に後続する反復における使用のための前記データブロックの一または複数のそれぞれにおいて前記第１の利用不能な要素の代わりとなるために前記生成された第１のポイントを使用して生成され、前記出力のシーケンスにおける次の点のそれぞれが、前記復元関数への入力として全てのデータブロックのシーケンスにおける前記次の要素を使用して更に前記データブロックの前記一または複数のそれぞれにおいてシーケンスにおける前記次の利用不能な要素の代わりとなるためにシーケンスにおける次の生成された点のそれぞれを使用して生成される、
方法。
【請求項８】
一または複数の従来技術の合成方法と関連付けられる複数の信号合成パラメータを前記パラメータから受信することを更に含み、
請求項７に記載の方法が前記出力信号の成分を生成するために使用され、前記一または複数の従来技術の合成方法が前記出力信号の残りの成分を生成するために前記合成パラメータに従って使用される、請求項７に記載の方法。
【請求項９】
前記方法は、デコーダにおいて少なくとも一つの信号を合成するのに利用される、請求項７または８のいずれか一項に記載の方法。